【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
音声コマンドの音量レベルに基づく音量レベルにおいて前記音声コマンドに応答するための方法であって、前記方法は、
複数の音声動作型ユーザデバイスのうちの第１の音声動作型ユーザデバイスを通して、ユーザによって話される音声コマンドを検出することと、
前記音声コマンドの第１の音量レベルを決定することと、
前記音声コマンドの前記音量レベルに基づいて、前記複数の音声動作型ユーザデバイスのうちの第２の音声動作型ユーザデバイスが他の音声動作型ユーザデバイスのうちのいずれよりも前記ユーザに近いことを決定することと、
前記第２の音声動作型ユーザデバイスを通して、前記音声コマンドの前記第１の音量レベルに基づいて設定される第２の音量レベルにおいて、可聴応答を生成することと
を含む、方法。
【請求項２】
前記可聴応答が生成されたときに対応する第１の時間を決定することと、
第２の時間を計算することであって、前記第２の時間は、時間周期に加算される前記第１の時間である、ことと、
確認応答が第３の時間に受信されたかどうかに基づいて、前記第２の音声動作型ユーザデバイスを通して、第２の可聴応答を生成することであって、前記第３の時間は、前記第２の時間の前である、ことと
をさらに含む、請求項１に記載の方法。
【請求項３】
前記時間周期を決定することをさらに含み、前記時間周期を決定することは、
前記ユーザと関連付けられるユーザプロファイルを識別することと、
前記ユーザプロファイルを使用して、応答のための平均時間を決定することと
を含む、請求項２に記載の方法。
【請求項４】
前記第２の可聴応答を生成することは、
第３の音量レベルを決定することであって、前記第３の音量レベルは、前記第２の音量レベルを上回る、こと
を含み、
前記第２の可聴応答は、前記第３の音量レベルにおいて生成される、請求項２に記載の方法。
【請求項５】
前記ユーザと関連付けられるユーザプロファイルを識別することと、
前記ユーザプロファイルを使用して、前記ユーザと関連付けられる平均発話音量レベルを識別することと、
前記平均発話音量レベルと前記第２の音声動作型ユーザデバイスと関連付けられる音量レベルとの間の差を決定することと
をさらに含み、
第３の音量レベルを決定することは、前記第２の音量レベルに加算される前記差に基づく、請求項１〜４のいずれかに記載の方法。
【請求項６】
前記ユーザから確認応答を受信することであって、前記確認応答は、前記可聴応答が前記ユーザによって聞かれたことを示す、ことと、
前記ユーザと関連付けられるユーザプロファイルを識別することと、
前記確認応答を受信することに応答して、前記ユーザプロファイルの中に前記第２の音量レベルを記憶することと
をさらに含む、請求項１〜４のいずれかに記載の方法。
【請求項７】
前記ユーザと関連付けられるユーザプロファイルを識別することと、
前記ユーザプロファイルを使用して、前記ユーザと関連付けられる複数のユーザ音量レベルを識別することと、
前記複数のユーザ音量レベルのうちの最低ユーザ音量レベルを決定することと
をさらに含み、
前記第２の音量レベルは、前記最低ユーザ音量レベルにさらに基づく、請求項１〜４のいずれかに記載の方法。
【請求項８】
前記可聴応答が生成されたときに対応する第１の時間を決定することと、
第２の時間を計算することであって、前記第２の時間は、時間周期に加算される前記第１の時間である、ことと、
前記ユーザと関連付けられるディスプレイデバイスを識別することと、
前記可聴応答の視覚表現を表示するために生成することと、
確認応答が第３の時間に受信されたかどうかに基づいて、前記視覚表現を前記ディスプレイデバイスに伝送することであって、前記第３の時間は、前記第２の時間の前である、ことと
をさらに含む、請求項１〜４のいずれかに記載の方法。
【請求項９】
前記第１の音量レベルを決定することは、
前記音声コマンドのフィルタ処理されていない音量レベルを測定することと、
背景雑音のレベルを決定することと、
前記音声コマンドをフィルタ処理し、前記背景雑音のレベルを除去することと、
前記音声コマンドのフィルタ処理された音量レベルを計算することと
を含む、請求項１〜４のいずれかに記載の方法。
【請求項１０】
請求項１〜９のいずれかに記載の方法を実施するように構成される制御回路を備えるシステム。
【手続補正２】
【補正対象書類名】明細書
【補正対象項目名】００２８
【補正方法】変更
【補正の内容】
【００２８】
上記に説明されるシステムおよび／または方法は、本開示に説明される他のシステム、方法、および／または装置に適用される、またはそれに従って使用され得ることに留意されたい。
本発明は、例えば、以下を提供する。
（項目１）
方法であって、
複数の音声動作型ユーザデバイスのうちの第１の音声動作型ユーザデバイスを通して、ユーザによって話される音声コマンドを検出することと、
前記音声コマンドの第１の音量レベルを決定することと、
前記音声コマンドの音量レベルに基づいて、前記複数の音声動作型ユーザデバイスのうちの第２の音声動作型ユーザデバイスが、他の音声動作型ユーザデバイスのうちのいずれよりも前記ユーザに近いことを決定することと、
前記第２の音声動作型ユーザデバイスを通して、前記音声コマンドの第１の音量レベルに基づいて設定される第２の音量レベルにおいて、可聴応答を生成することと
を含む、方法。
（項目２）
音声コマンドの音量レベルに基づく音量レベルにおいて前記音声コマンドに応答するための方法であって、前記方法は、
複数の音声動作型ユーザデバイスのうちの第１の音声動作型ユーザデバイスを通して、ユーザによって話される音声コマンドを検出することと、
前記音声コマンドの第１の音量レベルを決定することであって、前記音声コマンドは、前記第１の音声動作型ユーザデバイスによって受信される、ことと、
複数の音量レベルのうちの各音量レベルを複数の音声動作型ユーザデバイスのうちの個別の音声動作型ユーザデバイスと関連付ける少なくとも１つのデータ構造を受信することと、
前記第１の音量レベルを前記複数の音量レベルと比較することと、
前記第１の音量レベルを前記複数の音量レベルと比較することに基づいて、前記複数の音量レベルのうちの最大音量レベルを決定することと、
前記最大音量レベルを前記少なくとも１つのデータ構造と比較し、前記最大音量レベルと関連付けられる第２の音声動作型ユーザデバイスを決定することと、
コマンドを前記第２の音声動作型ユーザデバイスに伝送することであって、前記コマンドは、応答音量レベルを第２の音量レベルに更新するように前記第２の音声動作型ユーザデバイスに命令し、前記第２の音量レベルは、前記最大音量レベルに基づく、ことと、
前記第２の音声動作型ユーザデバイスを通して、前記第２の音量レベルにおいて可聴応答を生成することと
を含む、方法。
（項目３）
前記可聴応答が生成されたときに対応する第１の時間を決定することと、
第２の時間を計算することあって、前記第２の時間は、時間周期に加算される前記第１の時間である、ことと、
確認応答が第３の時間に受信されたかどうかに基づいて、前記第２の音声動作型ユーザデバイスを通して、第２の可聴応答を生成することあって、前記第３の時間は、前記第２の時間の前である、ことと
をさらに含む、項目２に記載の方法。
（項目４）
前記時間周期を決定することをさらに含み、前記時間周期を決定することは、
前記ユーザと関連付けられるユーザプロファイルを識別することと、
前記ユーザプロファイルを使用して、応答のための平均時間を決定することと
を含む、項目３に記載の方法。
（項目５）
第２の可聴応答を生成することは、
第３の音量レベルを決定することであって、前記第３の音量レベルは、前記第２の音量レベルを上回る、こと
を含み、
前記第２の可聴応答は、前記第３の音量レベルにおいて生成される、項目３に記載の方法。
（項目６）
前記ユーザと関連付けられるユーザプロファイルを識別することと、
前記ユーザプロファイルを使用して、前記ユーザと関連付けられる平均発話音量レベルを識別することと、
前記平均発話音量レベルと前記最大音量レベルとの間の差を決定することと
をさらに含み、
第３の音量レベルを決定することは、前記第２の音量レベルに加算される前記差に基づく、項目３に記載の方法。
（項目７）
前記ユーザから確認応答を受信することであって、前記確認応答は、前記可聴応答が前記ユーザによって聞かれたことを示す、ことと、
前記ユーザと関連付けられるユーザプロファイルを識別することと、
前記確認応答を受信することに応答して、前記ユーザプロファイルの中に前記第２の音量レベルを記憶することと
をさらに含む、項目２に記載の方法。
（項目８）
前記ユーザと関連付けられるユーザプロファイルを識別することと、
前記ユーザプロファイルを使用して、前記ユーザと関連付けられる複数のユーザ音量レベルを識別することと、
前記複数のユーザ音量レベルのうちの最低ユーザ音量レベルを決定することと
をさらに含み、
前記第２の音量レベルはさらに、前記最低ユーザ音量レベルに基づく、項目２に記載の方法。
（項目９）
前記可聴応答が生成されたときに対応する第１の時間を決定することと、
第２の時間を計算することであって、前記第２の時間は、時間周期に加算される前記第１の時間である、ことと、
前記ユーザと関連付けられるディスプレイデバイスを識別することと、
前記可聴応答の視覚表現を表示するために生成することと、
確認応答が第３の時間に受信されたかどうかに基づいて、前記視覚表現を前記ディスプレイデバイスに伝送することであって、前記第３の時間は、前記第２の時間の前である、ことと
をさらに含む、項目２に記載の方法。
（項目１０）
前記ユーザと関連付けられるユーザプロファイルを識別することと、
前記ユーザプロファイルを使用して、前記ユーザに聴力障害があることを決定することと、
前記ユーザと関連付けられるディスプレイデバイスを識別することと、
前記可聴応答の視覚表現を表示するために生成することと、
前記視覚表現を前記ディスプレイデバイスに伝送することと
をさらに含む、項目２に記載の方法。
（項目１１）
前記第１の音量レベルを決定することは、
前記音声コマンドのフィルタ処理されていない音量レベルを測定することと、
背景雑音のレベルを決定することと、
前記音声コマンドをフィルタ処理し、前記背景雑音のレベルを除去することと、
前記音声コマンドのフィルタ処理された音量レベルを計算することと
を含む、項目２に記載の方法。
（項目１２）
音声コマンドの音量レベルに基づく音量レベルにおいて前記音声コマンドに応答するためのシステムであって、前記システムは、
制御回路であって、
複数の音声動作型ユーザデバイスのうちの第１の音声動作型ユーザデバイスを通して、ユーザによって話される音声コマンドを検出することと、
前記音声コマンドの第１の音量レベルを決定することであって、前記音声コマンドは、前記第１の音声動作型ユーザデバイスによって受信される、ことと、
複数の音量レベルのうちの各音量レベルを複数の音声動作型ユーザデバイスのうちの個別の音声動作型ユーザデバイスと関連付ける少なくとも１つのデータ構造を受信することと、
前記第１の音量レベルを前記複数の音量レベルと比較することと、
前記第１の音量レベルを前記複数の音量レベルと比較することに基づいて、前記複数の音量レベルのうちの最大音量レベルを決定することと、
前記最大音量レベルを前記少なくとも１つのデータ構造と比較して、前記最大音量レベルと関連付けられる第２の音声動作型ユーザデバイスを決定することと、
コマンドを前記第２の音声動作型ユーザデバイスに伝送することであって、前記コマンドは、応答音量レベルを第２の音量レベルに更新するように前記第２の音声動作型ユーザデバイスに命令し、前記第２の音量レベルは、前記最大音量レベルに基づく、ことと、
前記第２の音声動作型ユーザデバイスを通して、前記第２の音量レベルにおいて可聴応答を生成することと
を行うように構成される、制御回路
を備える、システム。
（項目１３）
前記制御回路はさらに、
前記可聴応答が生成されたときに対応する第１の時間を決定することと、
第２の時間を計算することであって、前記第２の時間は、時間周期に加算される前記第１の時間である、ことと、
確認応答が第３の時間に受信されたかどうかに基づいて、前記第２の音声動作型ユーザデバイスを通して、第２の可聴応答を生成することであって、前記第３の時間は、前記第２の時間の前である、ことと
を行うように構成される、項目１２に記載のシステム。
（項目１４）
前記制御回路はさらに、
前記時間周期を決定するように構成され、前記時間周期を決定することは、
前記ユーザと関連付けられるユーザプロファイルを識別することと、
前記ユーザプロファイルを使用して、応答のための平均時間を決定することと
を含む、項目１３に記載のシステム。
（項目１５）
前記制御回路は、
第３の音量レベルを決定することによって、前記第２の可聴応答を生成するように構成され、前記第３の音量レベルは、前記第２の音量レベルを上回り、
前記第２の可聴応答は、前記第３の音量レベルにおいて生成される、項目１３に記載のシステム。
（項目１６）
前記制御回路はさらに、
前記ユーザと関連付けられるユーザプロファイルを識別することと、
前記ユーザプロファイルを使用して、前記ユーザと関連付けられる平均発話音量レベルを識別することと、
前記平均発話音量レベルと前記最大音量レベルとの間の差を決定することと
を行うように構成され、
第３の音量レベルを決定することは、前記第２の音量レベルに加算される前記差に基づく、項目１３に記載のシステム。
（項目１７）
前記制御回路はさらに、
前記ユーザから確認応答を受信することであって、前記確認応答は、前記可聴応答が前記ユーザによって聞かれたことを示す、ことと、
前記ユーザと関連付けられるユーザプロファイルを識別することと、
前記確認応答を受信することに応答して、前記ユーザプロファイルの中に前記第２の音量レベルを記憶することと
を行うように構成される、項目１２に記載のシステム。
（項目１８）
前記制御回路はさらに、
前記ユーザと関連付けられるユーザプロファイルを識別することと、
前記ユーザプロファイルを使用して、前記ユーザと関連付けられる複数のユーザ音量レベルを識別することと、
前記複数のユーザ音量レベルのうちの最低ユーザ音量レベルを決定することと
を行うように構成され、
前記第２の音量レベルはさらに、前記最低ユーザ音量レベルに基づく、項目１２に記載のシステム。
（項目１９）
前記制御回路はさらに、
前記可聴応答が生成されたときに対応する第１の時間を決定することと、
第２の時間を計算することであって、前記第２の時間は、時間周期に加算される前記第１の時間である、ことと、
前記ユーザと関連付けられるディスプレイデバイスを識別することと、
前記可聴応答の視覚表現を表示するために生成することと、
確認応答が第３の時間に受信されたかどうかに基づいて、前記視覚表現を前記ディスプレイデバイスに伝送することであって、前記第３の時間は、前記第２の時間の前である、ことと
を行うように構成される、項目１２に記載のシステム。
（項目２０）
前記制御回路はさらに、
前記ユーザと関連付けられるユーザプロファイルを識別することと、
前記ユーザプロファイルを使用して、前記ユーザに聴力障害があることを決定することと、
前記ユーザと関連付けられるディスプレイデバイスを識別することと、
前記可聴応答の視覚表現を表示するために生成することと、
前記視覚表現を前記ディスプレイデバイスに伝送することと
を行うように構成される、項目１２に記載のシステム。
（項目２１）
前記制御回路は、
前記音声コマンドのフィルタ処理されていない音量レベルを測定することと、
背景雑音のレベルを決定することと、
前記音声コマンドをフィルタ処理し、前記背景雑音のレベルを除去することと、
前記音声コマンドのフィルタ処理された音量レベルを計算することと
によって、前記第１の音量レベルを決定するように構成される、項目１２に記載のシステム。
（項目２２）
音声コマンドの音量レベルに基づく音量レベルにおいて前記音声コマンドに応答するためのシステムであって、前記システムは、
複数の音声動作型ユーザデバイスのうちの第１の音声動作型ユーザデバイスを通して、ユーザによって話される音声コマンドを検出するための手段と、
前記音声コマンドの第１の音量レベルを決定するための手段であって、前記音声コマンドは、前記第１の音声動作型ユーザデバイスによって受信される、手段と、
複数の音量レベルのうちの各音量レベルを複数の音声動作型ユーザデバイスのうちの個別の音声動作型ユーザデバイスと関連付ける少なくとも１つのデータ構造を受信するための手段と、
前記第１の音量レベルを前記複数の音量レベルと比較するための手段と、
前記第１の音量レベルを前記複数の音量レベルと比較することに基づいて、前記複数の音量レベルのうちの最大音量レベルを決定するための手段と、
前記最大音量レベルを前記少なくとも１つのデータ構造と比較し、前記最大音量レベルと関連付けられる第２の音声動作型ユーザデバイスを決定するための手段と、
コマンドを前記第２の音声動作型ユーザデバイスに伝送するための手段であって、前記コマンドは、応答音量レベルを第２の音量レベルに更新するように前記第２の音声動作型ユーザデバイスに命令し、前記第２の音量レベルは、前記最大音量レベルに基づく、手段と、
前記第２の音声動作型ユーザデバイスを通して、前記第２の音量レベルにおいて可聴応答を生成するための手段と
を備える、システム。
（項目２３）
前記可聴応答が生成されたときに対応する第１の時間を決定するための手段と、
第２の時間を計算するための手段であって、前記第２の時間は、時間周期に加算される前記第１の時間である、手段と、
確認応答が第３の時間に受信されたかどうかに基づいて、前記第２の音声動作型ユーザデバイスを通して、第２の可聴応答を生成するための手段であって、前記第３の時間は、前記第２の時間の前である、手段と
をさらに備える、項目２２に記載のシステム。
（項目２４）
前記時間周期を決定するための手段をさらに備え、前記時間周期を決定することは、
前記ユーザと関連付けられるユーザプロファイルを識別するための手段と、
前記ユーザプロファイルを使用して、応答のための平均時間を決定するための手段と
を備える、項目２３に記載のシステム。
（項目２５）
第２の可聴応答を生成するための前記手段は、
第３の音量レベルを決定するための手段であって、前記第３の音量レベルは、前記第２の音量レベルを上回る、手段
を備え、
前記第２の可聴応答は、前記第３の音量レベルにおいて生成される、項目２３に記載のシステム。
（項目２６）
前記ユーザと関連付けられるユーザプロファイルを識別するための手段と、
前記ユーザプロファイルを使用して、前記ユーザと関連付けられる平均発話音量レベルを識別するための手段と、
前記平均発話音量レベルと前記最大音量レベルとの間の差を決定するための手段と
をさらに備え、
第３の音量レベルを決定することは、前記第２の音量レベルに加算される前記差に基づく、項目２３に記載のシステム。
（項目２７）
前記ユーザから確認応答を受信するための手段であって、前記確認応答は、前記可聴応答が前記ユーザによって聞かれたことを示す、手段と、
前記ユーザと関連付けられるユーザプロファイルを識別するための手段と、
前記確認応答を受信することに応答して、前記ユーザプロファイルの中に前記第２の音量レベルを記憶するための手段と
をさらに備える、項目２２に記載のシステム。
（項目２８）
前記ユーザと関連付けられるユーザプロファイルを識別するための手段と、
前記ユーザプロファイルを使用して、前記ユーザと関連付けられる複数のユーザ音量レベルを識別するための手段と、
前記複数のユーザ音量レベルのうちの最低ユーザ音量レベルを決定するための手段と
をさらに備え、
前記第２の音量レベルはさらに、前記最低ユーザ音量レベルに基づく、項目２２に記載のシステム。
（項目２９）
前記可聴応答が生成されたときに対応する第１の時間を決定するための手段と、
第２の時間を計算するための手段であって、前記第２の時間は、時間周期に加算される前記第１の時間である、手段と、
前記ユーザと関連付けられるディスプレイデバイスを識別するための手段と、
前記可聴応答の視覚表現を表示するために生成するための手段と、
確認応答が第３の時間に受信されたかどうかに基づいて、前記視覚表現を前記ディスプレイデバイスに伝送するための手段であって、前記第３の時間は、前記第２の時間の前である、手段と
をさらに備える、項目２２に記載のシステム。
（項目３０）
前記ユーザと関連付けられるユーザプロファイルを識別するための手段と、
前記ユーザプロファイルを使用して、前記ユーザに聴力障害があることを決定するための手段と、
前記ユーザと関連付けられるディスプレイデバイスを識別するための手段と、
前記可聴応答の視覚表現を表示するために生成するための手段と、
前記視覚表現を前記ディスプレイデバイスに伝送するための手段と
をさらに備える、項目２２に記載のシステム。
（項目３１）
前記第１の音量レベルを決定することは、
前記音声コマンドのフィルタ処理されていない音量レベルを測定するための手段と、
背景雑音のレベルを決定するための手段と、
前記音声コマンドをフィルタ処理し、前記背景雑音のレベルを除去するための手段と、
前記音声コマンドのフィルタ処理された音量レベルを計算するための手段と
を備える、項目２２に記載のシステム。
（項目３２）
非一過性の機械可読命令を備える非一過性の機械可読媒体であって、前記命令は、音声コマンドの音量レベルに基づく音量レベルにおいて前記音声コマンドに応答するために前記非一過性の機械可読媒体の上にエンコードされており、前記命令は、
複数の音声動作型ユーザデバイスのうちの第１の音声動作型ユーザデバイスを通して、ユーザによって話される音声コマンドを検出するための命令と、
前記音声コマンドの第１の音量レベルを決定するための命令であって、前記音声コマンドは、前記第１の音声動作型ユーザデバイスによって受信される、命令と、
複数の音量レベルのうちの各音量レベルを複数の音声動作型ユーザデバイスのうちの個別の音声動作型ユーザデバイスと関連付ける少なくとも１つのデータ構造を受信するための命令と、
前記第１の音量レベルを前記複数の音量レベルと比較するための命令と、
前記第１の音量レベルを前記複数の音量レベルと比較することに基づいて、前記複数の音量レベルのうちの最大音量レベルを決定するための命令と、
前記最大音量レベルを前記少なくとも１つのデータ構造と比較し、前記最大音量レベルと関連付けられる第２の音声動作型ユーザデバイスを決定するための命令と、
コマンドを前記第２の音声動作型ユーザデバイスに伝送するための命令であって、前記コマンドは、応答音量レベルを第２の音量レベルに更新するように前記第２の音声動作型ユーザデバイスに命令し、前記第２の音量レベルは、前記最大音量レベルに基づく、命令と、
前記第２の音声動作型ユーザデバイスを通して、前記第２の音量レベルにおいて可聴応答を生成するための命令と
を備える、非一過性の機械可読媒体。
（項目３３）
前記命令はさらに、
前記可聴応答が生成されたときに対応する第１の時間を決定するための命令と、
第２の時間を計算するための命令であって、前記第２の時間は、時間周期に加算される前記第１の時間である、命令と、
確認応答が第３の時間に受信されたかどうかに基づいて、前記第２の音声動作型ユーザデバイスを通して、第２の可聴応答を生成するための命令であって、前記第３の時間は、前記第２の時間の前である、命令と
を備える、項目３２に記載の非一過性の機械可読媒体。
（項目３４）
前記命令はさらに、
前記時間周期を決定するための命令を備え、
前記時間周期を決定することは、
前記ユーザと関連付けられるユーザプロファイルを識別するための命令と、
前記ユーザプロファイルを使用して、応答のための平均時間を決定するための命令と
を備える、項目３３に記載の非一過性の機械可読媒体。
（項目３５）
前記制御回路は、
第３の音量レベルを決定することによって、前記第２の可聴応答を生成するように構成され、前記第３の音量レベルは、前記第２の音量レベルを上回り、
前記第２の可聴応答は、前記第３の音量レベルにおいて生成される、項目１３に記載のシステム。
（項目３６）
前記命令はさらに、
前記ユーザと関連付けられるユーザプロファイルを識別するための命令と、
前記ユーザプロファイルを使用して、前記ユーザと関連付けられる平均発話音量レベルを識別するための命令と、
前記平均発話音量レベルと前記最大音量レベルとの間の差を決定するための命令と
をさらに備え、
第３の音量レベルを決定することは、前記第２の音量レベルに加算される前記差に基づく、項目３３に記載の非一過性の機械可読媒体。
（項目３７）
前記命令はさらに、
前記ユーザから確認応答を受信するための命令であって、前記確認応答は、前記可聴応答が前記ユーザによって聞かれたことを示す、命令と、
前記ユーザと関連付けられるユーザプロファイルを識別するための命令と、
前記確認応答を受信することに応答して、前記ユーザプロファイルの中に前記第２の音量レベルを記憶するための命令と
を備える、項目３２に記載の非一過性の機械可読媒体。
（項目３８）
前記命令はさらに、
前記ユーザと関連付けられるユーザプロファイルを識別するための命令と、
前記ユーザプロファイルを使用して、前記ユーザと関連付けられる複数のユーザ音量レベルを識別するための命令と、
前記複数のユーザ音量レベルのうちの最低ユーザ音量レベルを決定するための命令と
を備え、
前記第２の音量レベルはさらに、前記最低ユーザ音量レベルに基づく、項目３２に記載の非一過性の機械可読媒体。
（項目３９）
前記命令はさらに、
前記可聴応答が生成されたときに対応する第１の時間を決定するための命令と、
第２の時間を計算するための命令であって、前記第２の時間は、時間周期に加算される前記第１の時間である、命令と、
前記ユーザと関連付けられるディスプレイデバイスを識別するための命令と、
前記可聴応答の視覚表現を表示するために生成するための命令と、
確認応答が第３の時間に受信されたかどうかに基づいて、前記視覚表現を前記ディスプレイデバイスに伝送するための命令であって、前記第３の時間は、前記第２の時間の前である、命令と
を備える、項目３２に記載の非一過性の機械可読媒体。
（項目４０）
前記命令はさらに、
前記ユーザと関連付けられるユーザプロファイルを識別するための命令と、
前記ユーザプロファイルを使用して、前記ユーザに聴力障害があることを決定するための命令と、
前記ユーザと関連付けられるディスプレイデバイスを識別するための命令と、
前記可聴応答の視覚表現を表示するために生成するための命令と、
前記視覚表現を前記ディスプレイデバイスに伝送するための命令と
を備える、項目３２に記載の非一過性の機械可読媒体。
（項目４１）
前記命令はさらに、
前記音声コマンドのフィルタ処理されていない音量レベルを測定するための命令と、
背景雑音のレベルを決定するための命令と、
前記音声コマンドをフィルタ処理し、前記背景雑音のレベルを除去するための命令と、
前記音声コマンドのフィルタ処理された音量レベルを計算するための命令と
を備える、項目３２に記載の非一過性の機械可読媒体。
（項目４２）
音声コマンドの音量レベルに基づく音量レベルにおいて前記音声コマンドに応答するための方法であって、前記方法は、
複数の音声動作型ユーザデバイスのうちの第１の音声動作型ユーザデバイスを通して、ユーザによって話される音声コマンドを検出することと、
前記音声コマンドの第１の音量レベルを決定することと、
前記音声コマンドの音量レベルに基づいて、前記複数の音声動作型ユーザデバイスのうちの第２の音声動作型ユーザデバイスが他の音声動作型ユーザデバイスのうちのいずれよりも前記ユーザに近いことを決定することと、
前記第２の音声動作型ユーザデバイスを通して、前記音声コマンドの第１の音量レベルに基づいて設定される第２の音量レベルにおいて、可聴応答を生成することと
を含む、方法。
（項目４３）
前記可聴応答が生成されたときに対応する第１の時間を決定することと、
第２の時間を計算することであって、前記第２の時間は、時間周期に加算される前記第１の時間である、ことと、
確認応答が第３の時間に受信されたかどうかに基づいて、前記第２の音声動作型ユーザデバイスを通して、第２の可聴応答を生成することであって、前記第３の時間は、前記第２の時間の前である、ことと
をさらに含む、項目４２に記載の方法。
（項目４４）
前記時間周期を決定することをさらに含み、前記時間周期を決定することは、
前記ユーザと関連付けられるユーザプロファイルを識別することと、
前記ユーザプロファイルを使用して、応答のための平均時間を決定することと
を含む、項目４３に記載の方法。
（項目４５）
第２の可聴応答を生成することは、
第３の音量レベルを決定することであって、前記第３の音量レベルは、前記第２の音量レベルを上回る、こと
を含み、
前記第２の可聴応答は、前記第３の音量レベルにおいて生成される、項目４３に記載の方法。
（項目４６）
前記ユーザと関連付けられるユーザプロファイルを識別することと、
前記ユーザプロファイルを使用して、前記ユーザと関連付けられる平均発話音量レベルを識別することと、
前記平均発話音量レベルと前記最大音量レベルとの間の差を決定することと
をさらに含み、
第３の音量レベルを決定することは、前記第２の音量レベルに加算される前記差に基づく、項目４２−４５のいずれかに記載の方法。
（項目４７）
前記ユーザから確認応答を受信することであって、前記確認応答は、前記可聴応答が前記ユーザによって聞かれたことを示す、ことと、
前記ユーザと関連付けられるユーザプロファイルを識別することと、
前記確認応答を受信することに応答して、前記ユーザプロファイルの中に前記第２の音量レベルを記憶することと
をさらに含む、項目４２−４６のいずれかに記載の方法。
（項目４８）
前記ユーザと関連付けられるユーザプロファイルを識別することと、
前記ユーザプロファイルを使用して、前記ユーザと関連付けられる複数のユーザ音量レベルを識別することと、
前記複数のユーザ音量レベルのうちの最低ユーザ音量レベルを決定することと
をさらに含み、
前記第２の音量レベルはさらに、前記最低ユーザ音量レベルに基づく、項目４２−４７のいずれかに記載の方法。
（項目４９）
前記可聴応答が生成されたときに対応する第１の時間を決定することと、
第２の時間を計算することであって、前記第２の時間は、時間周期に加算される前記第１の時間である、ことと、
前記ユーザと関連付けられるディスプレイデバイスを識別することと、
前記可聴応答の視覚表現を表示するために生成することと、
確認応答が第３の時間に受信されたかどうかに基づいて、前記視覚表現を前記ディスプレイデバイスに伝送することであって、前記第３の時間は、前記第２の時間の前である、ことと
をさらに含む、項目４２−４８のいずれかに記載の方法。
（項目５０）
前記ユーザと関連付けられるユーザプロファイルを識別することと、
前記ユーザプロファイルを使用して、前記ユーザに聴力障害があることを決定することと、
前記ユーザと関連付けられるディスプレイデバイスを識別することと、
前記可聴応答の視覚表現を表示するために生成することと、
前記視覚表現を前記ディスプレイデバイスに伝送することと
をさらに含む、項目４２−４９のいずれかに記載の方法。
（項目５１）
前記第１の音量レベルを決定することは、
前記音声コマンドのフィルタ処理されていない音量レベルを測定することと、
背景雑音のレベルを決定することと、
前記音声コマンドをフィルタ処理し、前記背景雑音のレベルを除去することと、
前記音声コマンドのフィルタ処理された音量レベルを計算することと
を含む、項目４２−５０のいずれかに記載の方法。